(57)【要約】【課題】  専用のパンチやかしめ治具を使用することなく、家庭においても、固定部材により被服にボタンを容易に固定することができるボタン固定キットを提供する。【解決手段】  被服にボタンを固定するボタン固定キットであって、ボタンと、ボタンを上記被服に固定する固定部材と、上記被服に上記ボタンを固定する際に上記ボタンを保持しうると共に上記固定部材を上記ボタンへ係合させうる受け部材とを備えた。【選択図】  図２
0003176597.tif 000002
【実用新案登録請求の範囲】
【請求項１】
被服にボタンを固定するボタン固定キットであって、ボタンと、ボタンを上記被服に固定する固定部材と、上記被服に上記ボタンを固定する際に上記ボタンを保持しうる受け部材とを備えたことを特徴とするボタン固定キット。
【請求項２】
上記ボタンは金属製のドーナツボタンであって、平面ドーナツ状に形成されたボタン本体と、上記ボタン本体の裏面側に突設され、ボタン本体の表面側中央部に開口部を有すると共に先端部には底部を有する円筒状の突部とを有し、上記底部には係止孔部が設けられている一方、上記固定部材は金属製であって、円盤状の固定部と、上記固定部から突出すると共に固定時には上記係止孔部内に挿入される係止片とを備えていることを特徴とする請求項１又は２のいずれか１項に記載のボタン固定キット。
【請求項３】
上記受け部材は、上記ボタン本体を収納する凹部を有する受け部材本体と、上記受け部材本体の中央部に突設され、ボタンの固定時には上記突部内に挿入される突出部を有すると共に、上記突出部には、係止孔部内に上記係止片が挿入された場合には、上記係止片を底部内方において折曲させて固定部材を上記被服を介してボタンへ固定しうる係止片折曲部が設けられていることを特徴とする請求項記載の１又は２のいずれか１項に記載のボタン固定キット。
【請求項４】
上記係止孔部は複数設けられると共に上記係止片は上記係止孔部に対応して挿入しうるように複数設けられていることを特徴とする請求項２記載のボタン固定キット。  
【請求項５】
上記係止孔部は径方向に沿って一対に設けられると共に上記係止片部も径方向に沿って一対に設けられ、上記係止片折曲部は、上記ボタン本体が上記凹部内に収納されると共に、上記突出部が上記突部内に挿入された場合には上記係止孔部の下方に配置される半球状平面を有する凹状受け部からなることを特徴とする請求項３記載のボタン固定キット。  
【請求項６】
上記受け部材は、全体略短円筒状に形成され、上記突出部は円柱状に形成され上端部に上記係止片折曲部が形成されていることを特徴とする請求項３記載のボタン固定キット。  
【請求項７】
上記被服はジーンズ製のパンツであることを特徴とする請求項１記載のボタン固定キット。
【考案の詳細な説明】
【技術分野】
【０００１】
本考案は、固定部材を介して被服に固定されるボタン取り付けるためのボタン固定キットに関する。
【背景技術】
【０００２】
一般に、ジーンズ製の被服に使用されるカバードボタンやドーナツボタンのように、固定部材を介して被服に固定されるボタンが広く使用されている。
【０００３】
図５に示すように、このような固定部材を介して被服に固定されるボタンとして、特開２００５−２３０２５１号公報（特許文献１）に開示された装飾ボタン５０が知られている。
【０００４】
図５に示すように、上記装飾ボタン５０は、装飾体５１を有するボタン本体５２と、締結部材５３とにより構成されている。
【０００５】
上記ボタン本体５２は、底面に貫通底面６１を有する略円筒状の挿通部５４と、上記挿通部５４の上縁外周にフランジ状に形成された受部５５とを有し、上記挿通部５４の内部には、底面に湾曲凹面状の衝突凹面５６が形成された座金５７が配置されており、また、上記締結部材５３は、円盤状の底部５８と、上記底部５８から突設した２本の締結ピン５９、５９により構成されている。
【０００６】
上記装飾ボタン５０をジーンズ製の衣類等６０に固定する場合には、図５に示すように、まず、上記ボタン本体５２を衣類等６０の表面側上に設置すると共に、上記締結部材５３を上記被装着体６０の裏面側に上記ボタン本体５２と同軸上に配置されるように設置する。
【０００７】
次に、専用のパンチやかしめ治具などを使用し、上記締結部材５３を加圧して上記締結ピン５９、５９を衣類等６０を介して、上記貫通底面６１から上記ボタン本体５２の内部へと刺し通し、上記締結ピン５９、５９を上記衝突凹面５６と当接させた後、さらに加圧することにより、上記衝突凹面５６により上記締結ピン５９、５９自体が折れ曲がることにより、締結部材５３が衣類等６０を貫通してボタン本体５２へ係合し、上記装飾ボタン５０を上記被装着体６０に固定することができる。
【０００８】
しかしながら、上記衣類等６０を長期間着用することにより、上記装飾ボタン５０が上記衣類等６０から外れてしまった場合等、上記装飾ボタン５０を再び上記衣類等６０に取り付けるためには、上記専用のパンチやかしめ治具が必要であることから、専門店等に依頼する他なく、家庭において容易に取り付けることができないという問題があった。
【特許文献１】特開２００５−２３０２５１号公報
【考案の開示】
【考案が解決しようとする課題】
【０００９】
本考案の課題は、専用のパンチやかしめ治具を使用することなく、家庭においても、固定部材により被服にボタンを容易に固定することができるボタン固定キットを提供することにある。
【課題を解決するための手段】
【００１０】
上記課題を解決するために、請求項１の考案にあっては、被服にボタンを固定するボタン固定キットであって、ボタンと、ボタンを上記被服に固定する固定部材と、上記被服に上記ボタンを固定する際に上記ボタンを保持しうる受け部材を備えたことを特徴とする。
【００１１】
従って、請求項１記載の考案にあっては、被服にボタンを固定する場合には、上記受け部材を載置面部に載置し、ボタンを固定部材に保持させて、ボタン上に被服を配置し、被服の上から一般家庭にもある所定の加圧器具、例えば、金槌等を利用することにより固定部材をボタンへ押圧させることにより固定部材を係合させてボタンを被服に固定する。
【００１２】
請求項２記載の考案にあっては、上記ボタンは金属製のドーナツボタンであって、平面ドーナツ状に形成されたボタン本体と、上記ボタン本体の裏面側に突設され、ボタン本体の表面側中央部に開口部を有すると共に先端部には底部を有する円筒状の突部とを有し、上記底部には係止孔部が設けられている一方、上記固定部材は金属製であって、円盤状の固定部と、上記固定部から突出すると共に固定時には上記係止孔部内に挿入される係止片とを備えていることを特徴とする。
【００１３】
請求項２記載の考案にあっては、ボタンを被服に固定する場合には、上記突部は被服の布地を貫通して被服の裏面側に突出する。また、上記固定部材の係止片を上記係止孔部内に挿入させて固定部材をボタンに係合させることによりボタンを被服に固定する。
【００１４】
請求項３記載の考案にあっては、上記受け部材は、上記ボタン本体を収納する凹部を有する受け部材本体と、上記受け部材本体の中央部に突設され、ボタンの固定時には上記突部内に挿入される突出部を有すると共に、上記突出部には、係止孔部内に上記係止片が挿入された場合には、上記係止片を底部内方において折曲させて固定部材を上記被服を介してボタンへ固定しうる係止片折曲部が設けられていることを特徴とする。
【００１５】
請求項３記載の考案にあっては、ボタン固定時には、ボタン本体を受け部材本体の凹部内に収納すると共に上記突出部をボタンの突部内に挿入して、ボタン本体を受け部材本体に固定し、突部上に被服を配置すると共に被服上に固定部材を配置して、上記固定部材を適宜、金槌等の加圧器具により加圧することにより被服を貫通させて係止片を係止孔部内に挿入させることにより、係止片折曲部により係止片を折曲させて固定部材をボタンに固定する。
【００１６】
請求項４記載の考案にあっては、上記係止孔部は複数設けられると共に上記係止片は上記係止孔部に対応して挿入しうるように複数設けられていることを特徴とする。従って、請求項４記載の考案にあっては、複数の係止片が対応する複数の係止孔部内に挿入される。
【００１７】
請求項５記載の考案にあっては、上記係止孔部は径方向に沿って一対に設けられると共に上記係止片部も径方向に沿って一対に設けられ、上記係止片折曲部は、上記ボタン本体が上記凹部内に収納されると共に、上記突出部が上記突部内に挿入された場合には上記係止孔部の下方に配置される半球状平面を有する凹状受け部からなることを特徴とする。  
【００１８】
請求項５記載の考案にあっては、ボタンの固定時には、ボタンの突出部は被服を貫通し、上記半球状受け部は上記被服の裏面部側に配置される。
【００１９】
請求項６記載の考案にあっては、上記受け部材は、全体略短円筒状に形成され、上記突出部は円柱状に形成され上端部に上記係止片折曲部が形成されていることを特徴とする。
【００２０】
請求項７記載の考案にあっては、上記被服はジーンズ製のパンツであることを特徴とする。従って、請求項７記載の考案にあっては、ジーンズ製のパンツのボタンを固定することができる。
【考案の効果】
【００２１】
請求項１記載の考案にあっては、被服にボタンを固定する場合には、上記受け部材を適宜の載置面部に載置し、ボタンを固定部材に保持させて、ボタン上に被服を配置し、被服の上から適宜の加圧器具、例えば、金槌等を利用することにより固定部材をボタンへ押圧させることにより係合させてボタンを被服に固定する。
【００２２】
従って、当該被服を長期間着用することにより、ボタンが上記当該被服から外れてしまった場合に、ボタンを再び被服に取り付けるために、上記専用のパンチやかしめ治具は不要となることから、ボタンの取り付けを専門店等に依頼する必要がなく、家庭で容易に取り付けることができる。
【００２３】
その結果、請求項１〜６記載の考案にあっては、専用のパンチやかしめ治具を使用することなく、家庭においても、家庭に備えられた、金槌等の一般的な加圧器具を使用することにより被服にボタンを容易に固定することができるボタン固定キットを提供することができる。
【００２４】
請求項４記載の考案にあっては、複数の係止片が対応する複数の係止孔部内に挿入されることから、ボタンは固定部材の複数の係止片により固定され、請求項１〜３記載の考案の効果に加えて、確実にボタンを被服に固定することができるボタン固定キットを提供することができる。
【００２５】
請求項７記載の考案にあっては、ジーンズ製のパンツのボタンを固定することができることから、専用のパンチやかしめ治具を使用することなく、家庭においても、容易かつ迅速にジーンズ製のパンツにボタンを容易に固定することができる。
【図面の簡単な説明】
【００２６】
【図１】本考案に係るボタン固定キットの一実施の形態を示す斜視図である。
【図２】本考案に係るボタン固定キットを用いて、ボタンを被服に固定する状態を示す斜視図である。
【図３】本考案に係るボタン固定キットを用いて、ボタンを固定する状態を示す断面図である。
【図４】本考案に係るボタン固定キットを用いて、ボタンを固定した状態を示す断面図である。
【図５】従来のボタンの取り付け構造を示す断面図である。
【考案を実施するための最良の形態】
【００２７】
以下、添付図面に示す実施の形態に基づき、本考案を詳細に説明する。
図１に示すように、本実施の形態に係るボタン固定キット１０は、ボタン１１と、ボタン１１を被服の所定箇所に固定する固定部材１２と、被服に上記ボタン１１を固定する際に上記ボタン１１を保持しうる受け部材１４とを備えている。
【００２８】
図１及び図２に示すように、上記ボタン１１は金属製の、いわゆるドーナツボタンであって、平面ドーナツ状に形成されたボタン本体１５と、上記ボタン本体１５の裏面側に突設され、ボタン本体１５の表面側中央部に開口部１６を有すると共に先端部には底部１７を有し、内部に開口部１６と同一径の空隙２６を有する円筒状の突部１８とを有している。上記突部１８の底部１７には、径方向に沿って一対の係止孔部１９、１９が設けられている。
【００２９】
上記固定部材１２は金属製であって、円盤状の固定部２０と、上記固定部２０から突出すると共に固定時には上記係止孔部１９、１９内に挿入される係止片２１、２１とを備えている。上記係止片２１、２１は上記固定部２０の径方向にそって一対に設けられている。
【００３０】
図２に示すように、上記受け部材１４は、上記ボタン本体１５を収納する凹部２２を有する受け部材本体２３と、上記受け部材本体２３の中央部に突設され、ボタン１１の固定時には上記突部１８内に挿入される突出部２４を有している。上記凹部２２の内径Ｌはボタン１１の直径寸法と略同一に形成されている。
【００３１】
上記突出部２４には、上記係止孔部１９、１９内に上記係止片２１、２１が挿入された場合には、上記係止片２１、２１を底部１７の内方において折曲させて固定部材１２を被服としての、例えば、ジーンズ製パンツ１３を介してボタン１１へ固定しうる係止片折曲部２５が設けられている。
【００３２】
上記係止片折曲部２５は半球状平面を有する凹状受け部からなり、上記ボタン本体１５が上記凹部２２内に収納されると共に、上記突出部２４がボタン本体１５の突部１８内に挿入された場合には上記係止孔部１９の下方に配置される。
【００３３】
上記受け部材１４は、全体略短円筒状に形成され、上記突出部２４は円柱状に形成され上端部に上記係止片折曲部２５が形成されている。図１及び図３に示すように、突出部２４の直径は空隙部２６の径Ｌ１と同一に形成されている。  
【００３４】
以下、本実施の形態に係るボタン固定キット１０の使用方法について説明する。
本実施の形態に係るボタン固定キット１０を使用して、例えば、ジーンズ製パンツ１３にボタン１１を固定する場合には、図２に示すように、例えば、机等の平坦な載置面上に受け部材１４を置き、受け部材１４の凹部２２内に、ボタン１１のボタン本体１５を挿入配置する。
【００３５】
この場合、上記のように、受け部材１２の凹部２２の直径Ｌはボタン１１の直径寸法と略同一に形成されていることから、ボタン１１のボタン本体１５は凹部２２内に固定された状態で収納される。この状態で、図３に示すように、上方にジーンズ製パンツ１３の裏側を上方にして上記突部１８上に載置し、ジーンズ製パンツ１３の上方に固定部材１２を、係止片２１、２１が係止孔部１９、１９に対応する位置に配置する。
【００３６】
次に、固定部材１２の上方から適宜、家庭用の金槌等の加圧器具を用いて叩いて瞬間的に加圧し、係止片２１、２１をジーンズ製パンツ１３の布材１３ａを貫通させ、係止片２１、２１を係止孔部１９、１９の空隙２６内に挿入配置させる。
【００３７】
この場合、図４に示すように、係止片２１、２１は、先端部が半球状平面を有する凹状受け部からなる係止片受け部２５に圧接することにより、互いに交差するように折曲され、その結果、固定部材１２は、係止片２１、２１が布材１３ａを貫通した状態でボタン１１の凸部１８に係合することから、ボタン１１は固定部材１２により布材１３ａに固定される。なお、ボタン１１、固定部材１２及び受け部材１４の具体的形態については上記実施の形態に限定されない。
【産業上の利用可能性】
【００３８】
本考案は、広くボタンを布材に固定する際に用いられることから、産業上の利用可能性を有している。
【符号の説明】
【００３９】
１０  ボタン固定キット
１１  ボタン
１２  固定部材
１３  被服（ジーンズ製パンツ）
１３ａ  布材
１４  受け部材
１５  ボタン本体
１６  開口部
１７  底部
１８  突部
１９  係止孔部
２０  固定部
２１  係止片
２２  凹部
２３  受け部材本体
２４  突出部
２５  係止片折曲部
２６  空隙
５０  装飾ボタン
５１  装飾体
５２  ボタン本体
５３  締結部材
５４  挿通部
５５  受部
５６  衝突凹面
５７  座金
５８  底部
５９  締結ピン
６０  衣類
【図１】
0003176597.tif 000003
【図２】
0003176597.tif 000004
【図３】
0003176597.tif 000005
【図４】
0003176597.tif 000006
【図５】
0003176597.tif 000007
【手続補正書】
【提出日】平成24年4月12日(2012.4.12)
【手続補正１】
【補正対象書類名】実用新案登録請求の範囲
【補正対象項目名】請求項２
【補正方法】変更
【補正の内容】
【請求項２】
上記ボタンは金属製のドーナツボタンであって、平面ドーナツ状に形成されたボタン本体と、上記ボタン本体の裏面側に突設され、ボタン本体の表面側中央部に開口部を有すると共に先端部には底部を有する円筒状の突部とを有し、上記底部には係止孔部が設けられている一方、上記固定部材は金属製であって、円盤状の固定部と、上記固定部から突出すると共に固定時には上記係止孔部内に挿入される係止片とを備えていることを特徴とする請求項１に記載のボタン固定キット。